(57)【要約】【課題】製造コストの低減および軽量化を図りうる熱交換器を提供する。【解決手段】熱交換器であるコンデンサは、外面にろう材層を有する材料からなる１対のヘッダタンク２と、両ヘッダタンク２間に配置されて両端部がヘッダタンク2,3にろう付された複数の扁平状熱交換管４と、隣り合う熱交換管４どうしの間に配置されて熱交換管４にろう付されたコルゲートフィンとを備えている。熱交換管４は上下壁および上下壁の両側縁どうしにまたがって設けられた２つの側壁15を有しており、金属素板を曲げることにより形成されている。後側壁15を上下両壁の側縁部に一体成形された複数の側壁形成部19,22を組み合わせることにより形成する。最も外側の第３側壁形成部22を、熱交換管４とコルゲートフィンとの複数箇所のろう付部のうち最もヘッダタンク２側のろう付部とヘッダタンク２との間において除去し、除去部30を形成する。【選択図】図６
2009216287.tif 000002
【特許請求の範囲】
【請求項１】
外面にろう材層を有する材料により形成され、かつ互いに間隔をおいて配置された１対のヘッダタンクと、両ヘッダタンク間に、ヘッダタンクの長さ方向に間隔をおくとともに幅方向を通風方向に向けて配置され、かつ両端部がヘッダタンクにろう付された複数の扁平状熱交換管と、隣り合う熱交換管どうしの間に配置されて熱交換管にろう付されたコルゲートフィンとを備えており、熱交換管が、互いに対向する１対の平坦壁、および両平坦壁の両側縁どうしにまたがって設けられた２つの側壁を有しているとともに、金属素板を曲げることにより形成され、一方の側壁が両平坦壁の側縁部に一体成形された複数の側壁形成部を組み合わせることにより形成され、最も外側の側壁形成部が一方の平坦壁と一体に形成されるとともにその先端部が他方の平坦壁の外面の一側縁部に係合させられている熱交換器であって、熱交換管の最外側側壁形成部の少なくとも一部が除去されている熱交換器。
【請求項２】
熱交換管における最外側側壁形成部の除去部が、熱交換管とコルゲートフィンとの複数箇所のろう付部のうち最もヘッダタンク側のろう付部とヘッダタンクとの間に形成されている請求項１記載の熱交換器。
【請求項３】
熱交換管の最外側側壁形成部の除去部における熱交換管の長さ方向の寸法をＬ１ｍｍ、最外側側壁形成部の厚みをｔｍｍとした場合、２ｔ≦Ｌ１の関係を満たす請求項２記載の熱交換器。
【請求項４】
熱交換管における最外側側壁形成部が、熱交換管とコルゲートフィンとの複数箇所のろう付部のうち最もヘッダタンク側のろう付部とヘッダタンクとの間の部分から熱交換管の両端にかけてすべて除去されることにより、除去部が形成されている請求項１記載の熱交換器。
【請求項５】
熱交換管の最外側側壁形成部の除去部における熱交換管の長さ方向の内端とヘッダタンクとの距離をＬ２ｍｍ、最外側側壁形成部の厚みをｔｍｍ、ヘッダタンクの外面と熱交換管との間に形成されたフィレットにおける熱交換管の長さ方向の寸法をａｍｍとした場合、ｔ＋ａ≦Ｌ２の関係を満たす請求項４記載の熱交換器。
【請求項６】
熱交換管の第１の側壁が両平坦壁の側縁部に一体成形された複数の側壁形成部を組み合わせることにより形成され、同じく第２の側壁が両平坦壁と一体に形成され、２つの平坦壁形成部と、両平坦壁形成部を一体に連結しかつ第２側壁を形成する連結部と、両平坦壁形成部における連結部とは反対側の側縁部に設けられた側壁形成部とを備えている熱交換管製造用板状体を、連結部においてヘアピン状に折り曲げ、さらにすべての側壁形成部を組み合わせてかしめることにより折り曲げ体を得た後、複数の側壁形成部をろう付することにより熱交換管がつくられており、熱交換管の第１側壁を形成する複数の側壁形成部のうち最も外側の側壁形成部の少なくとも一部が除去されている請求項１〜５のうちのいずれかに記載の熱交換器。
【請求項７】
熱交換管の第１側壁が、各平坦壁における第２側壁とは反対側の縁部に、他方の平坦壁側に突出するように一体に形成されるとともに先端部どうしがろう付された第１および第２側壁形成部と、いずれか一方の平坦壁における第１および第２側壁形成部よりも熱交換管の幅方向外側部分に一体に形成され、かつ第１および第２側壁形成部の外面にろう付されるとともに、先端部が他方の平坦壁外面の側縁部における熱交換管の幅方向外側に向かって前記一方の平坦壁側に傾斜した傾斜面にろう付された第３側壁形成部とよりなり、第３側壁形成部の少なくとも一部が除去されている請求項６記載の熱交換器。
【発明の詳細な説明】
【技術分野】
【０００１】
この発明は、熱交換器に関し、さらに詳しくは、たとえばカーエアコンのコンデンサやエバポレータやヒータコア、自動車用オイルクーラ、自動車用ラジエータなどとして使用される熱交換器に関する。
【０００２】
この明細書において、「アルミニウム」という用語には、純アルミニウムの他にアルミニウム合金を含むものとする。
【背景技術】
【０００３】
たとえば車両のカーエアコンのコンデンサに使用される熱交換器として、外面にろう材層を有する材料により形成され、かつ互いに間隔をおいて配置された１対のヘッダタンクと、両ヘッダタンク間に、ヘッダタンクの長さ方向に間隔をおくとともに幅方向を通風方向に向けて配置され、かつ両端部がヘッダタンクにろう付された複数の扁平状熱交換管と、熱交換管の通風方向の幅と等しい通風方向の幅を有し、かつ隣り合う熱交換管どうしの間に配置されて熱交換管にろう付されたコルゲートフィンとを備えたものが広く用いられている。
【０００４】
上記熱交換器の熱交換管は、熱交換効率が優れていることはもちろんのこと、その内部に高圧ガス冷媒が導入されるため耐圧性が要求される。しかも、コンデンサのコンパクト化を図るため熱交換管の管壁が薄肉でかつ管高さが低いことが要求される。
【０００５】
上述したコンデンサに用いられる熱交換効率に優れた熱交換管として、本出願人は、先に、互いに対向する１対の平坦壁と、両平坦壁の両側縁どうしにまたがって設けられた２つの側壁とを備えており、第１の側壁が両平坦壁の側縁に一体成形された複数の側壁形成部を組み合わせることにより形成され、第２の側壁が両平坦壁と一体に形成されており、第１側壁が、第１平坦壁の側縁部に形成されて第２平坦壁側に突出し、かつ先端が第１側壁の高さの中間部に位置する第１側壁形成部と、第２平坦壁の側縁部に形成されて第１平坦壁側に突出し、かつ先端が第１側壁の高さの中間部に位置するとともに第１側壁形成部の先端に突き合わされた第２側壁形成部と、第１平坦壁における第１側壁形成部の熱交換管の幅方向外側部分に形成されて第２平坦壁側に突出し、かつ先端が第２平坦壁の外面の側縁部に係合した第３側壁形成部とよりなり、第１および第２側壁形成部の先端部どうし、第１および第２側壁形成部の外面と第３側壁形成部、ならびに第３側壁形成部と第２平坦壁の側縁部とがろう付されている熱交換管を提案した（特許文献１参照）。
【０００６】
特許文献１記載の熱交換管は、全体が１枚の金属板よりなり、２つの平坦壁形成部と、両平坦壁形成部を一体に連結しかつ第２側壁を形成する連結部と、両平坦壁形成部における連結部とは反対側の側縁に、それぞれ平坦壁形成部から隆起するように設けられた第１および第２側壁形成部と、第１平坦壁形成部における連結部とは反対側の側縁を延長することにより設けられた第３側壁形成部用延長部とを備えている熱交換管製造用板状体を、連結部の両側においてヘアピン状に折り曲げて第１および第２側壁形成部の先端部どうしを突き合わせること、第３側壁形成部用延長部を、第１および第２側壁形成部の外面を覆うように折り曲げて第３側壁形成部をつくるとともに、第３側壁形成部の先端部を第２平坦壁形成部外面の側縁部に係合させて折り曲げ体を作ること、ならびに折り曲げ体の第１側壁形成部と第２側壁形成部、第１および第２側壁形成部と第３側壁形成部、ならびに第３側壁形成部と第２平坦壁形成部とを同時にろう付することにより製造される。特許文献１の熱交換管は、熱交換器の製造時に、他の部品のろう付と同時に、上述した折り曲げ体における第１側壁形成部と第２側壁形成部、第１および第２側壁形成部と第３側壁形成部、ならびに第３側壁形成部と第２平坦壁形成部とを同時にろう付することにより製造される。そして、製造された熱交換管においては、第２平坦壁形成部からなる第２平坦壁と第１側壁における第３側壁形成部の先端部との間に、ろう付部からなりかつ長さ方向にのびる継ぎ目部が存在することになる。
【０００７】
ところで、特許文献１の熱交換管を製造するための上述した折り曲げ体においては、第３側壁形成部の先端部と第２平坦壁形成部の外面との間に、折り曲げ体の長さ方向にのびる合わせ目が存在することになる。なお、この合わせ目は極浅い凹溝状となることがある。したがって、熱交換器を製造する際に、ヘッダタンク本体素材から溶け出した溶融ろう材が、毛細管現象により、上記合わせ目に沿って流れるとともに、折り曲げ体とコルゲートフィンとの接触部に沿って折り曲げ体の幅方向に流れる。その結果、ヘッダタンク本体素材の外面を覆うろう材量を多くしておかなければならず、材料コストが高くなり、ひいては熱交換器の製造コストが高くなるとともに、熱交換器の重量が増大するという問題がある。
【特許文献１】特開２００６−７８１６３号公報
【発明の開示】
【発明が解決しようとする課題】
【０００８】
この発明の目的は、上記問題を解決し、製造コストの低減および軽量化を図りうる熱交換器を提供することにある。
【課題を解決するための手段】
【０００９】
本発明は、上記目的を達成するために以下の態様からなる。
【００１０】
1)外面にろう材層を有する材料により形成され、かつ互いに間隔をおいて配置された１対のヘッダタンクと、両ヘッダタンク間に、ヘッダタンクの長さ方向に間隔をおくとともに幅方向を通風方向に向けて配置され、かつ両端部がヘッダタンクにろう付された複数の扁平状熱交換管と、隣り合う熱交換管どうしの間に配置されて熱交換管にろう付されたコルゲートフィンとを備えており、熱交換管が、互いに対向する１対の平坦壁、および両平坦壁の両側縁どうしにまたがって設けられた２つの側壁を有しているとともに、金属素板を曲げることにより形成され、一方の側壁が両平坦壁の側縁部に一体成形された複数の側壁形成部を組み合わせることにより形成され、最も外側の側壁形成部が一方の平坦壁と一体に形成されるとともにその先端部が他方の平坦壁の外面の一側縁部に係合させられている熱交換器であって、熱交換管の最外側側壁形成部の少なくとも一部が除去されている熱交換器。
【００１１】
2)熱交換管における最外側側壁形成部の除去部が、熱交換管とコルゲートフィンとの複数箇所のろう付部のうち最もヘッダタンク側のろう付部とヘッダタンクとの間に形成されている上記1)記載の熱交換器。
【００１２】
3)熱交換管の最外側側壁形成部の除去部における熱交換管の長さ方向の寸法をＬ１ｍｍ、最外側側壁形成部の厚みをｔｍｍとした場合、２ｔ≦Ｌ１の関係を満たす上記2)記載の熱交換器。
【００１３】
4)熱交換管における最外側側壁形成部が、熱交換管とコルゲートフィンとの複数箇所のろう付部のうち最もヘッダタンク側のろう付部とヘッダタンクとの間の部分から熱交換管の両端にかけてすべて除去されることにより、除去部が形成されている上記1)記載の熱交換器。
【００１４】
5)熱交換管の最外側側壁形成部の除去部における熱交換管の長さ方向の内端とヘッダタンクとの距離をＬ２ｍｍ、最外側側壁形成部の厚みをｔｍｍ、ヘッダタンクの外面と熱交換管との間に形成されたフィレットにおける熱交換管の長さ方向の寸法をａｍｍとした場合、ｔ＋ａ≦Ｌ２の関係を満たす上記4)記載の熱交換器。
【００１５】
6)熱交換管の第１の側壁が両平坦壁の側縁部に一体成形された複数の側壁形成部を組み合わせることにより形成され、同じく第２の側壁が両平坦壁と一体に形成され、２つの平坦壁形成部と、両平坦壁形成部を一体に連結しかつ第２側壁を形成する連結部と、両平坦壁形成部における連結部とは反対側の側縁部に設けられた側壁形成部とを備えている熱交換管製造用板状体を、連結部においてヘアピン状に折り曲げ、さらにすべての側壁形成部を組み合わせてかしめることにより折り曲げ体を得た後、複数の側壁形成部をろう付することにより熱交換管がつくられており、熱交換管の第１側壁を形成する複数の側壁形成部のうち最も外側の側壁形成部の少なくとも一部が除去されている上記1)〜5)のうちのいずれかに記載の熱交換器。
【００１６】
7)熱交換管の第１側壁が、各平坦壁における第２側壁とは反対側の縁部に、他方の平坦壁側に突出するように一体に形成されるとともに先端部どうしがろう付された第１および第２側壁形成部と、いずれか一方の平坦壁における第１および第２側壁形成部よりも熱交換管の幅方向外側部分に一体に形成され、かつ第１および第２側壁形成部の外面にろう付されるとともに、先端部が他方の平坦壁外面の側縁部における熱交換管の幅方向外側に向かって前記一方の平坦壁側に傾斜した傾斜面にろう付された第３側壁形成部とよりなり、第３側壁形成部の少なくとも一部が除去されている上記6)記載の熱交換器。
【発明の効果】
【００１７】
上記1)の熱交換器によれば、熱交換管の最外側側壁形成部の少なくとも一部が除去されているので、最外側側壁形成部の除去部においては、最外側側壁形成部が形成されていない他方の平坦壁に最外側側壁形成部の先端部が係合することにより形成される継ぎ目が存在しないことになり、金属素板を折り曲げることにより形成された熱交換管製造用の折り曲げ体における最外側側壁形成部の除去部では、継ぎ目部を形成する合わせ目も存在しない。したがって、熱交換器の製造時における金属素板を曲げた折り曲げ体からの熱交換管の製造、ならびにヘッダタンク、製造された熱交換管およびコルゲートフィンの一括ろう付時に、ヘッダタンクを形成する材料から溶け出した溶融ろう材が、毛細管現象により前記折り曲げ体における継ぎ目部を形成する合わせ目に沿って流れたとしても、最外側側壁形成部の除去部において毛細管現象がなくなって溶融ろう材の流れが止められる。その結果、熱交換器のヘッダタンクを形成する材料の外面を覆うろう材量を少なくすることが可能になり、材料コストが安くなって熱交換器の製造コストを低減することができるとともに、軽量化を図ることができる。
【００１８】
上記2)の熱交換器によれば、熱交換器の製造時における金属素板を曲げた折り曲げ体からの熱交換管の製造、ならびにヘッダタンク、製造された熱交換管およびコルゲートフィンの一括ろう付時に、ヘッダタンクを形成する材料から溶け出した溶融ろう材の折り曲げ体の合わせ目に沿う流れの長さを最小限にすることができるとともに、ヘッダタンクを形成する材料から溶け出した溶融ろう材が、熱交換管を形成する折り曲げ体とコルゲートフィンとの接触部に沿って折り曲げ体の幅方向に流れることを確実に防止することができる。
【００１９】
上記3)の熱交換器によれば、熱交換器の製造時における金属素板を曲げた折り曲げ体からの熱交換管の製造、ならびにヘッダタンク、製造された熱交換管およびコルゲートフィンの一括ろう付時に、ヘッダタンクを形成する材料から溶け出した溶融ろう材の折り曲げ体の合わせ目に沿う流れを、効果的に止めることができる。
【００２０】
上記4)の熱交換器によれば、熱交換器の製造時における金属素板を曲げた折り曲げ体からの熱交換管の製造、ならびにヘッダタンク、製造された熱交換管およびコルゲートフィンの一括ろう付時に、ヘッダタンクを形成する材料から溶け出した溶融ろう材の折り曲げ体の合わせ目に沿う流れの長さを最小限にすることができるとともに、ヘッダタンクを形成する材料から溶け出した溶融ろう材が、熱交換管を形成する折り曲げ体とコルゲートフィンとの接触部に沿って折り曲げ体の幅方向に流れることを確実に防止することができる。
【００２１】
上記5)の熱交換器によれば、熱交換器の製造時における金属素板を曲げた折り曲げ体からの熱交換管の製造、ならびにヘッダタンク、製造された熱交換管およびコルゲートフィンの一括ろう付時に、ヘッダタンクを形成する材料から溶け出した溶融ろう材の折り曲げ体の合わせ目に沿う流れを、効果的に止めることができる。
【発明を実施するための最良の形態】
【００２２】
以下、この発明の実施形態を、図面を参照して説明する。この実施形態は、この発明による熱交換器を、フロン系冷媒を使用したカーエアコンのコンデンサに適用したものである。
【００２３】
なお、以下の説明において、図１の上下、左右を上下、左右というものとし、通風方向下流側（図１に矢印Ｘで示す方向、図３および図４の右側）を前、これと反対側を後というものとする。
【００２４】
実施形態１
この実施形態は図１〜図９に示すものである。なお、実施形態１のコンデンサを示す図１〜図７において、すべてのろう付部のろう材の図示は省略している。
【００２５】
図１はこの発明による熱交換器を適用したカーエアコン用コンデンサの全体構成を示し、図２〜図７はその要部の構成を示す。また、図８および図９はコンデンサに用いられる熱交換管の製造方法を示す。
【００２６】
図１〜図３において、カーエアコン用のコンデンサ(1)は、左右方向に間隔をおいて配置された上下方向にのびる１対のアルミニウム製ヘッダタンク(2)(3)と、両ヘッダタンク(2)(3)間において幅方向を通風方向に向けるとともに上下方向に間隔をおいて配置され、かつ両端部が両ヘッダタンク(2)(3)にろう付された複数のアルミニウム製扁平状熱交換管(4)と、隣り合う熱交換管(4)どうしの間、および上下両端の熱交換管(4)の外側に配置されて熱交換管(4)にろう付されたアルミニウム製コルゲートフィン(5)と、上下両端のコルゲートフィン(5)の外側に配置されてコルゲートフィン(5)にろう付されたアルミニウム製サイドプレート(6)とを備えている。
【００２７】
左側ヘッダタンク(2)は、高さ方向の中央部よりも上方において仕切部材(7)により上下２つのヘッダ部(2a)(2b)に仕切られ、右側ヘッダタンク(3)は、高さ方向の中央部よりも下方において仕切部材(7)により上下２つのヘッダ部(3a)(3b)に仕切られている。左側ヘッダタンク(2)の上ヘッダ部(2a)に流体入口（図示略）が形成され、流体入口に通じる流体流入路(8a)を有する入口部材(8)が上ヘッダ部(2a)にろう付されている。また、右側ヘッダタンク(3)の下ヘッダ部(3b)に流体出口（図示略）が形成され、流体出口に通じる流体流出路(9a)を有する出口部材(9)が下ヘッダ部(3b)にろう付されている。
【００２８】
左右のヘッダタンク(2)(3)は、少なくとも外面にろう材層を有するアルミニウム製パイプ、たとえば両面にろう材層を有するアルミニウムブレージングシートからなる素板が筒状に成形されるとともに両側縁部が部分的に重ね合わされて相互にろう付されたろう付パイプからなり、かつ前後方向に長い複数の管挿通穴(10)を有するヘッダタンク本体(11)と、ヘッダタンク本体(11)の両端にろう付されてその両端開口を閉鎖するアルミニウム製閉鎖部材(12)とからなる。
【００２９】
図４および図５に詳細に示すように、熱交換管(4)はアルミニウム製であり、互いに対向しかつ同一肉厚である平らな上下壁(13)(14)（１対の平坦壁）と、上下壁(13)(14)の後側縁どうしにまたがりかつ上下壁(13)(14)の後側縁部に一体成形された複数の側壁形成部を組み合わせることにより形成された後側壁(15)（第１側壁）と、上下壁(13)(14)の前側縁どうしにまたがりかつ上下壁(13)(14)と一体に形成された前側壁(16)（第２側壁）と、両側壁(15)(16)間において上下壁(13)(14)にまたがるとともに相互に所定間隔をおいて設けられ、かつ長さ方向に伸びる複数の補強壁(17)とよりなり、内部に並列状の複数の流体通路(18)を有するものである。なお、図示は省略したが、全ての補強壁(17)には、隣接する流体通路(18)どうしを通じさせる複数の連通穴が、全体として平面から見て千鳥配置状となるようにあけられている。
【００３０】
後側壁(15)は、上壁(13)（第１平坦壁）に一体に形成された第１側壁形成部(19)と、下壁(14)（第２平坦壁）に一体に形成された第２側壁形成部(21)および第３側壁形成部(22)（最外側側壁形成部）とを組み合わせてろう付することにより形成されている。
【００３１】
第１側壁形成部(19)は、上壁(13)の後側縁部に下方突出状に一体に形成されている。第２側壁形成部(21)は、下壁(14)の後側縁部に上方突出状に一体に形成され、先端が第１側壁形成部(19)の先端に突き合わされた状態で第１側壁形成部(19)にろう付されている。第１および第２側壁形成部(19)(21)の先端部どうしは相欠き状に突き合わされている。すなわち、上壁(13)の第１側壁形成部(19)の先端部は後半部が欠き取られたような形状となっているとともに、下壁(14)の第２側壁形成部(21)の先端部は前半部が欠き取られたような形状となっており、第１側壁形成部(19)の突出部(19a)が第２側壁形成部(21)の欠き取り部(21b)内に嵌り、第２側壁形成部(21)の突出部(21a)が第１側壁形成部(19)の欠き取り部(19b)内に嵌っている。
【００３２】
第３側壁形成部(22)は、第２側壁形成部(21)よりも後側において上壁(13)の後側縁部に下方突出状に一体に形成されて、第１および第２側壁形成部(19)(21)の外面に沿わされており、その先端部が、下壁(14)外面の後側縁部に形成されかつ後方に向かって上方に傾斜した傾斜面(23)に係合させられた状態で、第１および第２側壁形成部(19)(21)の外面全体、および上壁(13)の傾斜面(23)にろう付されている。そして、熱交換管(4)のコルゲートフィン(5)がろう付される下面には、第３側壁形成部(22)の先端部と、上壁(13)の傾斜面(23)の傾斜方向上端部との間に形成され、かつ熱交換管(4)の長さ方向にのびるろう付部からなる継ぎ目部(24)が全長にわたって存在している。なお、継ぎ目部(24)は極浅い凹溝状となっている場合もある。
【００３３】
補強壁(17)は、上壁(13)より下方隆起状に一体成形された補強壁用凸条(25)(26)と、下壁(14)より上方隆起状に一体成形された補強壁用凸条(27)(28)とが、先端どうしが相互に突き合わされてろう付されることにより形成されている。上壁(13)および下壁(14)には、それぞれ肉厚の異なる２種類の補強壁用凸条(25)(26)および(27)(28)が前後方向に交互に形成されており、上壁(13)における肉厚の厚い補強壁用凸条(25)と下壁(14)における肉厚の薄い補強壁用凸条(28)とがろう付され、上壁(13)における肉厚の薄い補強壁用凸条(26)と下壁(14)における肉厚の厚い補強壁用凸条(27)とがろう付されている。以下、上下両壁(13)(14)の肉厚の厚い補強壁用凸条(25)(27)をそれぞれ第１補強壁用凸条といい、同じく薄い補強壁用凸条(26)(28)をそれぞれ第２補強壁用凸条というものとする。上下壁(13)(14)の第１補強壁用凸条(25)(27)の先端面には、それぞれその長さ方向に伸びかつ他方の壁(14)(13)の第２補強壁用凸条(28)(26)の先端部が嵌る凹溝(29)(31)が全長にわたって形成されている。そして、上壁(13)の第１補強壁用凸条(25)の凹溝(29)内に下壁(14)の第２補強壁用凸条(28)の先端部が、下壁(14)の第１補強壁用凸条(27)の凹溝(31)内に上壁(13)の第２補強壁用凸条(26)の先端部がそれぞれ圧入された状態で、両補強壁用凸条(25)(28)および(26)(27)がろう付されている。
【００３４】
図６および図７に詳細に示すように、熱交換管(4)の左右両端部は、左右両ヘッダタンク(2)(3)のヘッダタンク本体(11)に形成された管挿通穴(10)に挿入された状態で両ヘッダタンク(2)(3)のヘッダタンク本体(11)にろう付されている。そして、熱交換管(4)の第３側壁形成部(22)の少なくとも一部が除去されて除去部(30)が形成されている。ここでは、第３側壁形成部(22)は、熱交換管(4)とコルゲートフィン(5)との複数箇所のろう付部のうち左右両端（最もヘッダタンク(2)(3)側）のろう付部(5a)と、両ヘッダタンク(2)(3)との間に形成されている。また、熱交換管(4)の第３側壁形成部(22)の除去部(30)における熱交換管(4)の長さ方向の寸法をＬ１ｍｍ、第３側壁形成部(22)の厚みをｔｍｍとした場合、２ｔ≦Ｌ１の関係を満たしていることが好ましい。
【００３５】
コンデンサ(1)は、以下に述べる方法で製造される。
【００３６】
まず、少なくとも外面にろう材層を有する１対のアルミニウム製ヘッダタンク本体素材、閉鎖部材(12)、複数のアルミニウム製コルゲートフィン(5)、アルミニウム製サイドプレート(6)、入口部材(8)、および出口部材(9)を用意する。ヘッダタンク本体素材には複数の管挿通穴(10)が形成されている。
【００３７】
また、図８に示す熱交換管製造用板状体(40)を用いて、以下に述べる方法により熱交換管(4)をつくるための折り曲げ体(40A)を得る。
【００３８】
熱交換管製造用板状体(40)は、全体が両面にろう材層を有するアルミニウムブレージングシートからなる圧延素板を圧延することにより形成されたものであり、上下壁(13)(14)を形成する相互に同幅および同肉厚の平らな上壁形成部(41)（平坦壁形成部）および下壁形成部(42)（平坦壁形成部）と、上下壁形成部(41)(42)どうしを一体に連結するとともに前側壁(16)を形成する連結部(43)と、上壁形成部(41)および下壁形成部(42)における連結部(43)とは反対側の側縁より上方隆起状に一体成形されかつ後側壁(15)を形成する第１および第２側壁形成部(19)(21)と、上壁形成部(41)における連結部(43)とは反対側の側縁を前後方向外方に延長することにより形成された第３側壁形成部用延長部(44)と、上壁形成部(41)および下壁形成部(42)にそれぞれ前後方向に所定間隔をおいて上方隆起状に一体成形された複数の第１および第２補強壁用凸条(25)(26)(27)(28)とを備えており、上壁形成部(41)の第１補強壁用凸条(25)と下壁形成部(42)の第２補強壁用凸条(28)、および下壁形成部(42)の第１補強壁用凸条(27)と上壁形成部(41)の第２補強壁用凸条(26)とが、それぞれ連結部(43)の前後方向の中心線に対して前後対称となる位置にある。
【００３９】
第３側壁形成部用延長部(44)における熱交換管(4)とコルゲートフィン(5)との複数箇所のろう付部のうち左右両端のろう付部(5a)と両ヘッダタンク(2)(3)との間に位置すべき部分は所定長さにわたって除去されて除去部(30)が形成されている。
【００４０】
下壁形成部(42)下面における第２側壁形成部(21)側の縁部には、幅方向外方に向かって上方に傾斜した傾斜面(23)が形成されている。上下壁形成部(41)(42)の第１および第２側壁形成部(19)(21)は、それぞれ先端部に突出部(19a)(21a)および欠き取り部(19b)(21b)を有しており、上壁形成部(41)の第１側壁形成部(19)の突出部(19a)と下壁形成部(42)の第２側壁形成部(21)の欠き取り部(21b)、および上壁形成部(41)の第１側壁形成部(19)の欠き取り部(19b)と下壁形成部(42)の第２側壁形成部(21)の突出部(21a)とが、それぞれ連結部(43)の幅方向の中心線に対して対称となる位置にある。上壁形成部(41)の第１補強壁用凸条(25)の先端面に下壁形成部(42)の第２補強壁用凸条(28)が圧入される凹溝(29)が形成され、下壁形成部(42)の第１補強壁用凸条(27)の先端面に上壁形成部(41)の第２補強壁用凸条(26)が圧入される凹溝(31)が形成されている。
【００４１】
なお、両面にろう材層が設けられたアルミニウムブレージングシートからなる圧延素板を圧延することにより、上壁形成部(41)、下壁形成部(42)、連結部(43)、第１および第２側壁形成部(19)(21)、第３側壁形成部用延長部(44)、および補強壁用凸条(25)(26)(27)(28)が一体成形されていることにより、下壁形成部(42)の第２側壁形成部(22)の側面、および第３側壁形成部用延長部(44)の先端面を除いた全体がろう材層により覆われている。
【００４２】
また、上記においては、圧延素板は、両面にろう材層が設けられたアルミニウムブレージングシートからなるが、これに限定されるものではなく、Ａｌ−Ｍｎ系合金製の芯材の片面にろう材層が設けられ、他面にＡｌ−Ｚｎ合金からなる犠牲腐食層が設けられたアルミニウムブレージングシートからなるものであってもよい。この場合、ろう材層面が第１および第２側壁形成部(19)(21)と、補強壁用凸条(25)(26)(27)(28)とを形成する面となる。
【００４３】
そして、図９に示すように、ロールフォーミング法により、熱交換管製造用板状体(40)を連結部(43)の左右両側で順次折り曲げていき（図９(a)参照）、最後にヘアピン状に折り曲げて第１および第２側壁形成部(19)(21)の突出部(19a)(21a)と欠き取り部(21b)(19b)とを嵌め合わせるとともに、第２補強壁用凸条(26)(28)の先端部を第１補強壁用凸条(27)(25)の凹溝(31)(29)内に圧入する。
【００４４】
ついで、第３側壁形成部用延長部(44)を折り曲げていき、第１および第２側壁形成部(19)(21)の外面に沿わせるとともに、その先端部を上壁形成部(22)の傾斜面(23)に係合させて第３側壁形成部(22)をつくって折り曲げ体(40A)を得る（図９(b)参照）。ここで、折り曲げ体(40A)において、第３側壁形成部(22)の先端部と下壁形成部(42)の外面、すなわち第３側壁形成部(22)の先端部と傾斜面(23)の傾斜方向上端部との間に、折り曲げ体(40A)の長さ方向にのびる合わせ目(45)が存在している。
【００４５】
ついで、１対のヘッダタンク本体素材を間隔をおいて配置するとともに、両ヘッダタンク本体素材の両端に閉鎖部材(12)を配置する。また、折り曲げ体(40A)とフィン(5)とを交互に配置し、折り曲げ体(40A)の両端部をヘッダタンク本体素材の管挿通穴(10)に挿入する。このとき、折り曲げ体(40A)の第３側壁形成部(22)の除去部(30)を、折り曲げ体(40A)とコルゲートフィン(5)との複数箇所の接触部のうち最もヘッダタンク本体素材側の接触部と、両ヘッダタンク本体素材との間に位置させる。
【００４６】
また、両端のコルゲートフィン(5)の外側にサイドプレート(6)を配置し、さらに入口部材(8)および出口部材(9)を配置する。その後、これらを所定温度に加熱し、第１および第２側壁形成部(19)(21)の先端部どうしを相互にろう付するとともに、第３側壁形成部(24)を第１および第２側壁形成部(19)(21)の外面と上壁(13)の傾斜面(23)にろう付することにより後側壁(15)を形成する。また、上記ろう材層を利用して両補強壁用凸条(25)(28)および(26)(27)の先端部どうしをろう付することにより補強壁(17)を形成し、連結部(43)により前側壁(16)を形成し、さらに上壁形成部(41)により上壁(13)を、下壁形成部(42)により下壁(14)をそれぞれ形成して熱交換管(4)を製造する。これと同時に、ヘッダタンク本体素材からヘッダタンク本体(11)を製造するとともに、ヘッダタンク本体(11)と閉鎖部材(12)とによりヘッダタンク(2)(3)を製造し、熱交換管(4)とヘッダタンク(2)(3)、熱交換管(4)とコルゲートフィン(5)、コルゲートフィン(5)とサイドプレート(6)、ならびにヘッダタンク(2)(3)と入口部材(8)(9)および出口部材とを、それぞれ同時にろう付する。こうして、コンデンサ(1)が製造される。
【００４７】
上述したコンデンサ(1)の製造の際の全部品の一括ろう付時には、熱交換管(4)の第３側壁形成部(22)に除去部(30)が形成されていることから、ヘッダタンク本体素材から溶け出した溶融ろう材が、毛細管現象により合わせ目(45)に沿って流れたとしても、除去部(30)において毛細管現象がなくなり、除去部(30)よりも左右方向内側への溶融ろう材の流れが止められる。したがって、溶融ろう材が熱交換管(4)とコルゲートフィン(5)との接触部に沿って流れることが防止される。その結果、ヘッダタンク(2)(3)を形成する材料の外面を覆うろう材量を少なくすることが可能になり、材料コストが安くなってコンデンサ(1)の製造コストを低減することができるとともに、コンデンサ(1)の軽量化を図ることができる。
【００４８】
実施形態２
この実施形態は図１０および図１１に示すものである。
【００４９】
図１０および図１１は実施形態２のコンデンサの要部を示す。
【００５０】
図１０および図１１に示すコンデンサの場合、熱交換管(4)の第３側壁形成部(22)は、熱交換管(4)とコルゲートフィン(5)との複数箇所のろう付部のうち左右両端（最もヘッダタンク(2)(3)側）のろう付部と両ヘッダタンク(2)(3)のヘッダタンク本体(11)の外面との間の部分から左右両端にかけてすべて除去され、これにより除去部(50)が形成されている。また、両ヘッダタンク本体(2)(3)のヘッダタンク本体(11)に形成された管挿通穴(51)の前後方向の長さは、熱交換管(4)の除去部(50)が形成された部分の幅と等しくなっている。符号(F)はヘッダタンク(2)(3)のヘッダタンク本体(11)の外面と熱交換管(4)との間に形成されたフィレットを示す。なお、当該フィレット(F)以外のろう材の図示は省略する。
【００５１】
ここで、熱交換管(4)の第３側壁形成部(22)の除去部(50)の左右方向内端とヘッダタンク本体(11)の外面との距離をＬ２ｍｍ、第３側壁形成部(22)の厚みをｔｍｍ、ヘッダタンク(2)(3)のヘッダタンク本体(11)の外面と熱交換管(4)との間に形成されたフィレット(F)における熱交換管(4)の長さ方向の寸法をａｍｍとした場合、ｔ＋ａ≦Ｌ２の関係を満たしていることが好ましい。
【図面の簡単な説明】
【００５２】
【図１】この発明の熱交換器を適用したコンデンサの実施形態１を示す全体斜視図である。
【図２】図１のコンデンサの左ヘッダタンクの部分を拡大して示す水平断面図である。
【図３】図２のＡ−Ａ線断面図である。
【図４】図１のコンデンサの熱交換管の部分を拡大して示す垂直断面図である。
【図５】図４の熱交換管の要部拡大図である。
【図６】図２の要部拡大図である。
【図７】図６のＢ−Ｂ線断面図である。
【図８】図１のコンデンサの熱交換管を製造するのに使用される熱交換管製造用板状体の正面図である。
【図９】図１のコンデンサの熱交換管を製造する工程の一部を示す図である。
【図１０】この発明の熱交換器を適用したコンデンサの実施形態２の要部を示す図６相当の図である。
【図１１】この発明の熱交換器を適用したコンデンサの実施形態２の要部を示す図３相当の図である。
【符号の説明】
【００５３】
(1)：コンデンサ（熱交換器）
(2)(3)：ヘッダタンク
(4)：熱交換管
(5)：コルゲートフィン
(5a)：ろう付部
(13)：上壁（平坦壁）
(14)：下壁（平坦壁）
(15)：後側壁（第１側壁）
(16)：前側壁（第２側壁）
(19)：第１側壁形成部
(21)：第２側壁形成部
(22)：第３側壁形成部
(23)：傾斜面
(30)(50)：除去部
(40)：熱交換管製造用板状体
(40A)：折り曲げ体
(41)：上壁形成部
(42)：下壁形成部
(43)：連結部
【図１】
2009216287.tif 000003
【図２】
2009216287.tif 000004
【図３】
2009216287.tif 000005
【図４】
2009216287.tif 000006
【図５】
2009216287.tif 000007
【図６】
2009216287.tif 000008
【図７】
2009216287.tif 000009
【図８】
2009216287.tif 000010
【図９】
2009216287.tif 000011
【図１０】
2009216287.tif 000012
【図１１】
2009216287.tif 000013